【事件の表示】
　平成　４年特許願第１３１７５０号「記録及び／又は再生装置」［平成　５年１１月１６日出願公開、特開平　５−３０３７９２］拒絶査定に対する審判事件について、次のとおり審決する。
【結　論】
　本件審判の請求は、成り立たない。
【理　由】
 １．手続の経緯及び本願請求項に係る発明
　本件審判の請求に係る特許願（以下、「本願」という）は、平成４年４月２４日に出願されたものであって、本願請求項に係る発明は、平成４年９月２９日付け、平成１２年１月２１日付け及び平成１２年３月２２日付けの各手続補正書により補正された明細書及び図面の記載からみて、その特許請求の範囲に記載された以下のとおりのものと認める。
「記録及び／又は再生用部材が搭載され、且つテープカセットが装着されるメカデッキと、
　上記メカデッキの裏面側に配置され、上記記録及び／又は再生用部材相互の電気的接続を行う回路基板と、
　上記回路基板上に直接導電接続されて取り付けられると共に、上記テープカセットに設けられる互いに隣接する複数の検出孔の状態を識別する複数の機能を有する検出スイッチ本体と、
　一つの上記検出スイッチ本体に上下動可能に設けられると共に、上記テープカセットの上記検出孔を閉塞する蓋面があるとき当該蓋面により押し下げられることにより上記検出孔の状態が識別され、上記複数の検出孔に対応するように隣接して設けられる複数の検出ピンとを備え、
　上記複数の検出ピンは、上記検出スイッチ本体の複数の機能に対応して上記メカデッキに形成される複数のピン挿通孔から各々上記メカデッキ上に突出され、上記メカデッキに装着される上記テープカセットの上記複数の検出孔の状態を識別可能であると共に、上記複数の検出ピンが設けられる上記検出スイッチ本体が上記回路基板上に直接配設されることにより上記検出スイッチ本体と上記回路基板を電気的に接続する配線を不要としたことを特徴とする記録及び／又は再生装置。」
２．刊行物の記載
　これに対して、原査定の理由で引用された実願昭６２−１８８４４７号(実開平１−９３６２７号公報)の願書に最初に添付した明細書および図面の内容を撮影したマイクロフィルム（以下、刊行物という）には、ＶＴＲ等の記録再生装置において、移動シャーシへのカセット装着検出やその装着されたカセットの誤消去防止爪検出等を行うセンサーを、移動シャーシの制御回路基板に直接取り付け得るように構成することによりセンサーと制御回路基板との間の配線を不要にできるようにするためになされた、記録再生装置に関する発明について、以下の記載がある。
・「次に、第１Ａ図〜第４図によって、検出装置の詳細を説明する。
　前述したように、移動シャーシ６にほぼ平行状に近接して配置された制御回路基板５には、実際には、移動シャーシ６とは反対側に複数のカード基板（図示せず）が接続されている。そして、これら制御回路基板５及び複数のカード基板には、移動シャーシ６を移動制御する制御回路の他カメラの光学ブロック、記録再生部１０及び両リール台等を制御する制御回路が組込まれている。
　そして、第２図に示す如く、制御回路基板５の移動シャーシ６側の側面には、カセット２３の誤消去防止爪検出用センサー２６、カセット２３のテープ種類検出用センサー２７、カセット装着検出用センサー２８等がそれぞれ半田付けによって直接取付けられている。従って、これら複数のセンサー２６、２７、２８と制御回路基板５との間の配線手段（フレキシブルプリント基板やハーネス等）は不要である。」（第８頁第１３行〜第９頁第１１行）
・「そこで先ず、第１Ａ図〜第３Ｂ図によって、誤消去防止爪検出センサー２６による検出動作を説明する。
　第３Ａ図に示すごとく、移動シャーシ６に装着されたカセット２３の底面２３ｂに配置されている被検出部である誤消去防止爪２９が既に折り取られて、その底面２３ｂに穴３０が開けられている時には、　・・・
　・・・　レバー式の検出部材３１の一端の検出ピン３１ａが底面２３ｂの穴３０内に挿入される。　・・・
　　　　　　　　　　　　・・・　途中略　・・・
　・・・　、誤消去防止爪２９の「無し」を検出する。
　なお、第３Ｂ図に示す如く、カセット２３の誤消去防止爪２９が折り取られず、その誤消去防止爪２９によって穴３０が閉塞されている時には、　　　　　　　　　　　　　　・・・　途中略　・・・
　・・・　検出部材３１の検出ピン３１ａが押されて、・・・
　　　　　　　　　　　　　・・・　途中略　・・・
　・・・誤消去防止爪２９の「有り」を検出することになる。」（第９頁第１５行〜第１１頁第１４行）
・「以上、この考案の実施例に付き述べたが、この考案は実施例に限定されることなく、この考案の技術思想に基づいて各種の有効な変更が可能である。
　例えば実施例では、センサー２６、２７、２８による検出動作のために検出部材３１、３６、３７等の中間部材を用いたが、例えば第５図に示すように、制御回路基板５に取付けるセンサーをマイクロスイッチやリーフスイッチ等のスイッチ４４で構成して、カセット２３の誤消去防止爪２９等の被検出部をそのスイッチ４４で直接検出するように構成すれば、上記検出部材３１、３６、３７等の中間部材を省略することができる。」（第１３頁第１９行〜第１４頁第１１行）
　以上の記載を各図面を参照し、マイクロスイッチやリーフスイッチが、スイッチ自体が検出のための応動部を有するものであって、第５図よりみて、スイッチ（センサー）４４の応動部がカセット２３の誤消去防止爪２９の有無に応じて上下動するものであることを考慮して、整理すると、結局、刊行物には、以下のとおりの発明が記載されているものと認める。
「カセットが装着され、該カセットを記録再生部に対する遠近方向に移動制御する移動シャーシと、
　回転ヘッドドラム、複数の固定ヘッド、キャプスタン及び複数のデープガイド等から成る記録再生部が取り付けられるメカデッキである固定シャーシと、
　固定シャーシの移動シャーシと反対側に配置され、接続された複数のカード基板とともに移動シャーシの移動制御、光学ブロック、記録再生部及び両リール台を制御する制御回路が組み込まれた制御回路基板と、
　制御回路基板の移動シャーシ側の側面に、半田付けによって直接取付けられたカセットの誤消去防止爪検出用センサー、カセットのテープ種類検出用センサー、及びカセット装着検出用センサー等とを具備し、
　各センサーは、カセットの誤消去防止爪等の被検出部の状態に応じて上下動する応動部を有するスイッチで直接検出する構成とされるものであって、制御回路基板に半田付けによって直接取付けられることで、センサーと制御回路基板との間の配線手段（フレキシブルプリント基板やハーネス等）を不要とした記録再生装置。」
３．対比・判断
［対比］
　本願請求項に係る発明と刊行物記載の発明とを対比する。
　いずれの発明も、記録再生装置に関し、カセットの状態を検出する検出手段を直接回路基板に取付けることによって、検出手段と回路基板間の特別の配線を不要とする点で共通するものである。
　そして、刊行物記載の発明における、固定シャーシ、制御回路基板、及びスイッチで構成されるセンサーがそれぞれ、本願請求項に係る発明のメカデッキ、回路基板、及び検出スイッチ本体に相当することは明らかである。
　結局、両発明は、
「記録及び／又は再生用部材が搭載され、且つテープカセットが装着されるメカデッキと、
　上記メカデッキの裏面側に配置され、上記記録及び／又は再生用部材相互の電気的接続を行う回路基板と、
　上記回路基板上に直接導電接続されて取り付けられると共に、上記テープカセットに設けられる検出孔の状態を識別する機能を有する検出スイッチ本体と、
　上記検出スイッチ本体に上下動可能に設けられると共に、上記テープカセットの上記検出孔を閉塞する蓋面があるとき当該蓋面により押し下げられることにより上記検出孔の状態が識別され、上記検出孔に対応するように設けられる検出応動部とを備え、
　上記検出スイッチ本体が上記回路基板上に直接配設されることにより上記検出スイッチ本体と上記回路基板を電気的に接続する配線を不要としたことを特徴とする記録及び／又は再生装置。」
である点で一致し、以下の点で相違するものと認める。
［相違点］
　検出スイッチ本体について、本願請求項に係る発明では、一つの検出スイッチ本体でテープカセットに設けられる互いに隣接する複数の検出孔の状態を識別する複数の機能を有するものであるとし、検出スイッチ本体の検出応動部の具体構成について、一つの検出スイッチ本体に複数の検出孔に対応するように隣接して設けられる複数の検出ピンとを備え、複数の検出ピンは、検出スイッチ本体の複数の機能に対応してメカデッキに形成される複数のピン挿通孔から各々メカデッキ上に突出され、メカデッキに装着されるテープカセットの複数の検出孔の状態を識別可能であるものであるのに対して、刊行物記載の発明では、複数の機能に対して、別個のスイッチを用いるとともに、検出応動部の具体的構成において、このような具体的構成を有していない点
［相違点について］
　以下、相違点について検討する。
　カセットテープなどに対する記録装置において、記録媒体の記録状態やテープの種類等の複数の状態を、カセットケースなどのケースに隣接して設けた複数の孔の有無、深さの違いに対応させ、その複数の孔に対応する複数のピンからなる検出応動部を有する一つの検出用スイッチ本体を設け、複数のピンの上下動によって識別することは周知のことであり（例えば、実願昭５８−９０３５７号(実開昭５９−１９４１４０号公報)の願書に最初に添付した明細書および図面の内容を撮影したマイクロフィルム、特開昭６２−１８６７０号公報参照）、刊行物記載の発明においても、格別の困難性もなく適宜に採用し得る範囲内のものと認める。
　そして、刊行物記載の発明のように、スイッチ本体が固定シャーシ（本願請求項に係る発明におけるメカデッキ）のテープカセットとは反対側の制御回路基板上に固定されている場合、複数のピンを固定シャーシの挿通孔を貫通してテープカセット側に突出するようにすることは、当然になし得るものと認める。
　結局、上記各相違点において、本願請求項に係る発明が採用した点は、いずれも刊行物記載の発明においても適宜に採用し得る範囲内のものである。
４．むすび
　以上のとおりであるから、本願請求項に係る発明は、刊行物記載の発明に基づいて当業者が容易に発明し得たということができるので、本願請求項に係る発明については、特許法第２９条第２項の規定により特許を受けることができない。
　よって、結論のとおり審決する。